(57)【要約】【課題】猫や犬等のペットが好んで積極的に植物を食べるようにすることと、その習性を利用して、ペットの健康維持に必要な物質を摂取できるようにする。【解決手段】本発明では、このような課題を解決するために、可食状態に生長させ、容器１内から突出させた植物若葉２に、対象とするペットの食欲増進物質３を付着させたペット用可食植物を提案している。食欲増進物質に加えて、ペット用サプリメント物質を付着させることができ、これらの物質は、その溶液を噴霧して付着させたり、その粉末を散布して付着させることができる。【選択図】図１
2010268727.tif 000002
【特許請求の範囲】
【請求項１】
可食状態に生長させ、容器内から突出させた植物若葉に、対象とするペットの食欲増進物質を付着させたことを特徴とするペット用可食植物。
【請求項２】
植物若葉に、対象とするペットの食欲増進物質に加えて、ペット用サプリメント物質を付着させたことを特徴とする請求項１に記載のペット用可食植物。
【請求項３】
物質は、その溶液を噴霧して付着させることを特徴とする請求項１又は２に記載のペット用可食植物。
【請求項４】
物質は、その粉末を散布して付着させることを特徴とする請求項１又は２に記載のペット用可食植物。
【請求項５】
対象とするペットは猫とし、食欲増進物質はマタタビであることを特徴とする請求項１〜４のいずれか１項に記載のペット用可食植物。
【発明の詳細な説明】
【技術分野】
【０００１】
本発明は、ペット用可食植物に関するものである。
【背景技術】
【０００２】
猫や犬等のようにグルーミングを行うペット、特に猫は、グルーミングの際に飲み込んだ抜け毛のかたまり、いわゆる毛玉を、草の若葉などを食することによって吐き出す習性がある。この際に好んで食する草としては、イネ科のエン麦や大麦、又はエノコログサ等が代表的である。また犬は、胸やけや胃腸障害等を防ぐために草を食べる習性があると云われている。
【０００３】
マンション等の室内で飼われていて屋外に出られない猫や犬は、野に自生している草を食することができないため、飼い主が草を準備して食べさせなければならない。また野に自生している草では除草剤等の農薬のために必ずしも安全とはいえない。
【０００４】
このようなことから近来は、上述したような植物の種子と培地を有する容器を組み合わせた栽培キットが広く販売されており、飼い主は、種子を蒔いた容器内の培地に灌水して植物を生長させ、若葉が可食状態となった時点で、容器内から突出している若葉をペットに食させるようにしている。尚、特許文献１には上述したような植物を水耕栽培するための容器が記載されている。
【０００５】
しかしながら猫や犬のなかには、このように栽培した植物を余り好んで食さないものがおり、胃内に毛玉が溜まって胃腸障害等を引き起こす原因となる場合がある。
【先行技術文献】
【特許文献】
【０００６】
【特許文献１】特開２００２−３６００８５号公報
【発明の概要】
【発明が解決しようとする課題】
【０００７】
本発明が解決しようとする課題は、猫や犬等のペットが好んで積極的に植物を食べるようにすることと、その習性を利用して、ペットの健康維持に必要な物質を摂取できるようにすることにある。
【課題を解決するための手段】
【０００８】
上述した課題を解決するために、本発明では、可食状態に生長させ、容器内から突出させた植物若葉に、対象とするペットの食欲増進物質を付着させたペット用可食植物を提案する。
【０００９】
また本発明では、上記の構成において、植物若葉に、対象とするペットの食欲増進物質に加えて、ペット用サプリメント物質を付着させたペット用可食植物を提案する。
【００１０】
また本発明では、上記の構成において、物質は、その溶液を噴霧して付着させたり、その粉末を散布して付着させることを提案する。
【００１１】
更に本発明では、上記の構成において、対象とするペットを猫とした場合に、食欲増進物質としてマタタビを植物若葉に付着させることを提案する。
【発明の効果】
【００１２】
本発明の可食植物では、可食状態に生長させて、容器内から突出させた植物若葉に、対象とするペットの食欲増進物質を付着させているので、植物若葉だけでは余り積極的に食べないペットも良く食べるようになり、その機能を発揮させることができる。
【００１３】
植物若葉に、食欲増進物質に加えて、ペット用のサプリメント物質を付着させれば、単独では摂取しにくいペット用サプリメント物質を、容易に摂取させることができる。
【００１４】
例えば対象とするペットを猫とした場合には、マタタビを植物若葉に付着させると、猫は、その香りに誘引されて植物若葉を食し、同時にマタタビの作用により、猫のストレス解消、健康、食欲増進を図ることができる。
【００１５】
本発明において、食欲増進物質やサプリメント物質は、その溶液を噴霧して付着させたり、その粉末を散布して付着させることができる。
【図面の簡単な説明】
【００１６】
【図１】図１は本発明に係るペット用可食植物の実施の形態を示す説明的斜視図である。
【図２】図２は本発明に係るペット用可食植物の他の実施の形態を示す説明的斜視図である。
【発明を実施するための形態】
【００１７】
次に本発明に係るペット用可食植物の実施の形態を添付した図１、図２を参照して説明する。
符号１は容器であり、２は可食状態に生長した植物若葉を示すもので、植物は容器１内に設けた培地（図示省略）により生長状態で支持されている。例えば対象とするペットを猫又は猫科動物とした場合には、植物はイネ科のエン麦や大麦、又はエノコログサ等であり、これらの植物は、容器１内に設けた培地（図示省略）により種子から栽培して生長させても良いし、容器１外の適所において栽培して生長させたものを培地と共に容器１に挿入しても良い。
【００１８】
本発明では、図に示されるように、可食状態に生長させ、容器１内から突出させた植物若葉２に、対象とするペットの食欲増進物質３を付着させて商品とする。
【００１９】
即ち、図１においては、食欲増進物質３は、その溶液を噴霧ノズル４により植物若葉２に噴霧して付着させることを概念的に示すもので、また図２においては、食欲増進物質３は、その粉末を散布装置５により植物若葉２に散布して付着させるものである。
【００２０】
食欲増進物質３としては、例えば対象とするペットが猫又は猫科動物の場合には、マタタビが適している。この他、食欲増進物質３としては、いわゆるドッグフードやキャットフード等に用いられ、ペットにとって嗜好性が高く、食欲を増進させるフレーパー成分や、フード本体を用いることもできる。
【００２１】
更に本発明においては、植物若葉２に、上述した対象とするペットの食欲増進物質３に加えて、ペット用サプリメント物質（図示省略）を付着させることもできる。
【００２２】
ここで、図１、図２においては、食欲増進物質３等の物質を、容器１内から突出させた状態において噴霧又は散布しているが、上述したように、植物を、容器１外の適所において栽培して、生長させにおいて、食欲増進物質３等の物質を付着させることができる。
【産業上の利用可能性】
【００２３】
本発明のペット用可食植物は、以上の通りであるから、植物若葉だけでは余り積極的に食べないペットも良く食べるようになり、その機能を発揮させることができ、また植物若葉に、食欲増進物質に加えて、ペット用のサプリメント物質を付着させれば、単独では摂取しにくいペット用サプリメント物質を、容易に摂取させることができる。
【００２４】
本発明のペット用可食植物は、猫や犬等の他のペットにも適用することができる。
【符号の説明】
【００２５】
１              容器
２              植物若葉
３              食欲増進物質
４              噴霧ノズル
５              散布装置
【図１】
2010268727.tif 000003
【図２】
2010268727.tif 000004